(57)【要約】【課題】複数の使用形態に適用可能であると共に、ボルトの位置決めが容易な取付器具を提供すること。【解決手段】第１部材に取り付けられ、第１部材を第２部材に固定するための取付器具１は、第１部材と第２部材とを固定するためのボルトの頭部を第１部材との間に導入するための少なくとも１つの第１貫通孔２と、第１貫通孔２と連通し、ボルトの軸部が通る少なくとも１つの第２貫通孔３と、第２貫通孔内にボルトの軸部を導入した際に、ボルトの頭部を支持する支持部４と、を備える。第１貫通孔２は、第２部材と対向する面に形成される。支持部４は、ボルトの頭部に形成された少なくとも１つの凸部ないし凹部と係合する少なくとも１つの凹部ないし凸部４ａを有すると共に、第１部材に取り付けられた際に、ボルトの頭部が第２貫通孔３に沿って移動できるような空隙を第１部材との間に形成する。【選択図】図１
2010031470.tif 000002
【特許請求の範囲】
【請求項１】
第１部材に取り付けられ、前記第１部材を第２部材に固定するための取付器具であって、
前記第１部材と前記第２部材とを固定するためのボルトの頭部を前記第１部材との間に導入するための少なくとも１つの第１貫通孔と、
前記第１貫通孔と連通し、ボルトの軸部が通る少なくとも１つの第２貫通孔と、
前記第２貫通孔内にボルトの軸部を導入した際に、ボルトの頭部を支持する支持部と、
を備え、
前記第１貫通孔は、前記第２部材と対向する面に形成され、
前記支持部は、ボルトの頭部に形成された少なくとも１つの凸部ないし凹部と係合する少なくとも１つの凹部ないし凸部を有すると共に、前記第１部材に取り付けられた際に、ボルトの頭部が前記第２貫通孔に沿って移動できるような空隙を前記第１部材との間に形成することを特徴とする取付器具。
【請求項２】
前記第２貫通孔は直線状に延在し、
前記少なくとも１つの凹部ないし凸部は、前記第２貫通孔の両側に、前記第２貫通孔に沿って形成されたラック部であることを特徴とする請求項１に記載の取付器具。
【請求項３】
第１部材を第２部材に固定するための取付器具セットであって、
前記第１部材に取り付けられるプレートと、
前記プレートに頭部を支持され、軸部を前記第２部材に挿入する少なくとも１つのボルトと、
前記ボルトの前記軸部に取り付けられるナットと、を備え、
前記ボルトの前記頭部は、前記プレートと対向する面に少なくとも１つの凸部ないし凹部を有し、
前記プレートは、前記ボルトの前記頭部を前記第１部材との間に導入するための少なくとも１つの第１貫通孔と、前記第１貫通孔と連通し、前記ボルトの前記軸部が通る少なくとも１つの第２貫通孔と、前記第２貫通孔内に前記ボルトの前記軸部を導入した際に、前記ボルトの前記頭部を支持する支持部と、を備え、
前記第１貫通孔は、前記第２部材と対向する面に形成され、
前記支持部は、前記ボルトの前記頭部の前記少なくとも１つの凸部ないし凹部と係合する少なくとも１つの凹部ないし凸部を有すると共に、前記第１部材に取り付けられた際に、前記ボルトの前記頭部を前記第２貫通孔に沿って移動できるような空隙を前記第１部材との間に形成することを特徴とする取付器具セット。
【請求項４】
前記ボルトの前記頭部は、前記軸部に対して垂直方向に延在する平板形状であることを特徴とする請求項３に記載の取付器具セット。
【請求項５】
前記平板形状は矩形であり、
前記頭部に形成された前記少なくとも１つの凸部ないし凹部は、前記軸部から前記頭部の一辺に向かって溝が延在するラック部であることを特徴とする請求項４に記載の取付器具セット。
【請求項６】
便器に取り付けられる局部洗浄装置であって、
便器に固定するためのボルトの頭部を配設するための空隙を形成し、前記ボルトの前記頭部を支持する支持部と、
前記空隙に前記ボルトの前記頭部を導入するための少なくとも１つの第１開口と、
前記第１開口と連通し、前記支持部が前記ボルトの前記頭部を支持する際に前記ボルトの軸部が通る少なくとも１つの第２開口と、を備え、
前記支持部は、前記ボルトの前記頭部に形成された少なくとも１つの凸部ないし凹部と係合する少なくとも１つの凹部ないし凸部を有し、
前記第１開口は、便器と対向する面に形成され、
前記空隙は、前記ボルトの前記頭部が前記第２開口に沿って移動できるような大きさであることを特徴とする局部洗浄装置。
【請求項７】
前記第２開口は直線状に延在し、
前記少なくとも１つの凹部ないし凸部は、前記第２開口の両側に、前記第２開口に沿って形成されたラック部であることを特徴とする請求項６に記載の局部洗浄装置。
【発明の詳細な説明】
【技術分野】
【０００１】
本発明は、一方の部材を他方の部材に取り付けるための取付器具及び取付器具セットに関する。また、本発明は、便器に取り付けられる局部洗浄装置に関する。
【背景技術】
【０００２】
一方の部材を他方の部材に取り付ける場合、例えばボルトとナットのような取付器具が使用される。例えば、便座を便器に取り付ける器具は、例えば特許文献１及び特許文献２に記載されている。
【０００３】
特許文献１に記載の温水洗浄便座装置の取付具は、温水洗浄便座装置の本体が着脱自在に連結されるプレートを便器の後部の据付部の上面に固定する取付具であり、据付部を上下方向に貫通する取付孔に挿入され、長手方向に間隔をおいて複数の弾性変形部を有する筒形弾性部材と、頭部及び軸部を有し、頭部がプレートと係合する態様で軸部が上側から下側に向かうように筒形弾性部材内に挿入されたボルトと、筒形弾性部材の内部に固定され、ボルトの軸部と螺着されるナットとを備え、ボルトの一側方向への回転によりナットが上昇し、この上昇により、複数の弾性変形部が下側のものから順次径方向に拡張するようにし、径方向に拡張された複数の弾性変形部の一つが、取付孔の下側の縁部と係合する。
【０００４】
特許文献２においては、人体局部洗浄機能をもつ人体局部洗浄装置、或いは、便座を加熱する機能をもつ暖房便座装置のケースは、便座取付プレートとして機能するベースプレートとを備え、取付ボルトの頭部はケースの溝部に嵌まった状態とされている。取付ボルトの軸部は、ベースプレートの取付孔、弾性ワッシャ部材の第１ボルト挿通口、便器の取付部の取付孔に下方に向けて貫通した状態とされている。これにより、弾性ワッシャ部材はベースプレートと便器の取付部との間に介在して挟装されており、ベースプレートのずれを防止する。
【０００５】
【特許文献１】特開２００７−２４７２２８号公報
【特許文献２】特開平８−３０８７６９号公報
【発明の開示】
【発明が解決しようとする課題】
【０００６】
以下の分析は、本発明の観点から与えられる。
【０００７】
特許文献１に記載の取付具では、プレートをボルトで便器に取り付けた後でなければ、プレートと温水洗浄便座装置とを連結することができない。すなわち、温水洗浄便座装置を便器に取り付ける前に、プレートを予め温水洗浄便座装置に取り付けることはできず、取付形態が限定される。
【０００８】
一方、特許文献２に記載の取付具でも、ベースプレートはケースに一体とされており、ベースプレートのみを便器に取り付けることができず、取付形態が限定される。また、特許文献２に記載の形態では、ケースにボルトを固定することができず、ボルトの位置決めをすることが困難であると共に、ベースプレートのずれを防止する弾性ワッシャ部材が別途必要となる。
【０００９】
本発明の目的は、複数の使用形態に適用可能であると共に、ボルトの位置決めが容易な取付器具及び取付器具セットを提供することである。また、本発明の目的は、便器への取付が容易な局部洗浄装置を提供することである。
【課題を解決するための手段】
【００１０】
本発明の第１視点によれば、第１部材に取り付けられ、第１部材を第２部材に固定するための取付器具を提供する。取付器具は、第１部材と第２部材とを固定するためのボルトの頭部を第１部材との間に導入するための少なくとも１つの第１貫通孔と、第１貫通孔と連通し、ボルトの軸部が通る少なくとも１つの第２貫通孔と、第２貫通孔内にボルトの軸部を導入した際に、ボルトの頭部を支持する支持部と、を備える。第１貫通孔は、第２部材と対向する面に形成される。支持部は、ボルトの頭部に形成された少なくとも１つの凸部ないし凹部と係合する少なくとも１つの凹部ないし凸部を有すると共に、第１部材に取り付けられた際に、ボルトの頭部が第２貫通孔に沿って移動できるような空隙を第１部材との間に形成する。
【００１１】
上記第１視点の好ましい形態によれば、第２貫通孔は直線状に延在する。少なくとも１つの凹部ないし凸部は、第２貫通孔の両側に、第２貫通孔に沿って形成されたラック部である。
【００１２】
本発明の第２視点によれば、第１部材を第２部材に固定するための取付器具セットを提供する。取付器具セットは、第１部材に取り付けられるプレートと、プレートに頭部を支持され、軸部を第２部材に挿入する少なくとも１つのボルトと、ボルトの軸部に取り付けられるナットと、を備える。ボルトの頭部は、プレートと対向する面に少なくとも１つの凸部ないし凹部を有する。プレートは、ボルトの頭部を第１部材との間に導入するための少なくとも１つの第１貫通孔と、第１貫通孔と連通し、ボルトの軸部が通る少なくとも１つの第２貫通孔と、第２貫通孔内にボルトの軸部を導入した際に、ボルトの頭部を支持する支持部と、を備える。第１貫通孔は、第２部材と対向する面に形成される。支持部は、ボルトの頭部の少なくとも１つの凸部ないし凹部と係合する少なくとも１つの凹部ないし凸部を有すると共に、第１部材に取り付けられた際に、ボルトの頭部を第２貫通孔に沿って移動できるような空隙を第１部材との間に形成する。
【００１３】
上記第２視点の好ましい形態によれば、ボルトの頭部は、軸部に対して垂直方向に延在する平板形状である。
【００１４】
上記第２視点の好ましい形態によれば、平板形状は矩形である。頭部に形成された少なくとも１つの凸部ないし凹部は、軸部から頭部の一辺に向かって溝が延在するラック部である。
【００１５】
本発明の第３視点によれば、便器に取り付けられる局部洗浄装置を提供する。局部洗浄装置は、便器に固定するためのボルトの頭部を配設するための空隙を形成し、ボルトの頭部を支持する支持部と、空隙にボルトの頭部を導入するための少なくとも１つの第１開口と、第１開口と連通し、支持部がボルトの頭部を支持する際にボルトの軸部が通る少なくとも１つの第２開口と、を備える。支持部は、ボルトの頭部に形成された少なくとも１つの凸部ないし凹部と係合する少なくとも１つの凹部ないし凸部を有する。第１開口は、便器と対向する面に形成される。空隙は、ボルトの頭部が第２開口に沿って移動できるような大きさである。
【００１６】
上記第３視点の好ましい形態によれば、第２開口は直線状に延在する。少なくとも１つの凹部ないし凸部は、第２開口の両側に、第２開口に沿って形成されたラック部である。
【発明の効果】
【００１７】
本発明は、以下の効果のうち少なくとも１つを有する。
【００１８】
本発明の取付器具及び取付器具セットによれば、取付器具（プレート）を第１部材に取り付けた後に、第１部材を第２部材に固定することもできれば、取付器具（プレート）を第２部材に取り付けた後に第１部材を第２部材に固定することもでき、複数の取付形態に適用することができる。
【００１９】
また、取付器具（プレート）とボルトとを係合させることにより、いずれの取付形態を選択しても、取付器具（プレート）に対してボルトの位置決め及び固定を容易にすることができる。さらに、第１部材と第２部材の取付時におけるズレの発生を防止することができ、位置ズレ防止用のパッキン等の部品が不要となる。
【００２０】
本発明の局部洗浄装置によれば、便器に取り付けるためのボルトを容易に位置決め及び固定することができる。また、局部洗浄装置を便器に取り付ける際のズレの発生を防止することができ、位置ズレ防止用のパッキン等の部品が不要となる。
【発明を実施するための最良の形態】
【００２１】
本発明の取付器具について説明する。図１に、本発明の取付器具の概略斜視図を示し、図２に、本発明の取付器具の概略平面図を示す。
【００２２】
本発明の取付器具１は、第１部材（例えば、局部洗浄装置）を第２部材（例えば、便器）に固定するための器具である。取付器具１は、第１部材に取り付けられ、第１部材と第２部材とを固定するボルトを支持し、第１部材と第２部材との間に介在される。図１及び図２は、第１部材と対向する面を図示している。図３に、本発明の取付器具の使用例を示す。図３は、第１部材が局部洗浄装置である例を示しており、取付器具１は、便座４１に取り付けられた局部洗浄装置２１の裏側に、図１及び図２に示す面を局部洗浄装置２１に対向させて取り付けられている。
【００２３】
取付器具１は、第１部材と第２部材と固定するためのボルトの頭部を第１部材との間に導入するための少なくとも１つの第１貫通孔２と、第１貫通孔２と連通し、ボルトの軸部が通る少なくとも１つの第２貫通孔３と、第２貫通孔３内にボルトの軸部を導入した際に、ボルトの頭部を支持する支持部４と、を備える。
【００２４】
第１貫通孔２は、第２部材と対向するように形成されている。また、第１貫通孔２は、第２貫通孔３と端部において第２貫通孔３と連通している。第２貫通孔３は、第１貫通孔２から直線状（縦長）に延在している。第２貫通孔３の幅は、ボルトの軸部は通るが、ボルトの頭部は通らないように形成されている。なお、第１貫通孔２は、第２貫通孔３の途中に形成されてもよい（すなわち、第１貫通孔２の両側に第２貫通孔３が形成されてもよい）。
【００２５】
支持部４は、第２貫通孔３に沿って、第２貫通孔３の両側に形成されている。支持部４は、ボルトの頭部に形成された少なくとも１つの凸部ないし凹部と係合する少なくとも１つの凹部ないし凸部４ａを有する。図１及び図２に示す形態においては、凹部ないし凸部４はラック部として形成されている。ラック部４ａは、第１貫通孔２から第２貫通孔３に沿って、第２貫通孔の両側に形成されている。
【００２６】
図４に、取付器具を第１部材に取り付け、取付器具にボルトセットした際の取付器具の概略部分断面図を示す。また、図５に、取付器具に装着するボルトの概略部分平面図を示す。支持部４は、取付器具１が第１部材２１に取り付けられた際に、支持部４（ラック部４ａ）と第１部材２１との間に、ボルト１１の頭部１２が（取付器具１のラック部４ａとボルト１１のラック部１２ａが係合しない状態で）第２貫通孔３に沿って移動できるような空隙５を形成するように構成されている。すなわち、支持部４（ラック部４ａ）と第１部材２１との間隔ｄは、ボルト１１の頭部１２の厚さｔより大きくなっている。
【００２７】
次に、ボルトの取付器具への装着について説明する。図６に、取付器具にボルトを装着する際の取付器具の概略斜視図を示し、図７に、取付器具にボルトを装着した後の取付器具の概略斜視図を示し、図８に、取付器具にボルトを装着した後の第１部材の概略斜視図を示す。なお、図面上、ボルト１１の軸部１３のネジ山の図示は省略してある。
【００２８】
第１部材２１と対向する面とは反対側の面から、ボルト１１の頭部１２を取付器具１の第１貫通孔２へ挿入し、ボルト１１の頭部１２を、図４に示す空隙５内に挿入して、第１部材２１と対向する面側に配置すると共に、ボルト１１の軸部１３を第２貫通孔３に嵌め込む。図４に示すように、ラック部４ａと第１部材２１との間には頭部１２の厚さより厚い空隙５が形成されているので、ボルト１１を第２貫通孔３に沿って所定の位置まで移動させる。次に、取付器具１のラック部４ａと頭部１２のラック部１２ａとを係合させる。これにより、図７及び図８に示すように、ボルト１１の軸部１３を第２部材に挿入できるように、取付器具１及び第１部材２１から突出させることができる。
【００２９】
図９に、取付器具を用いて第１部材と第２部材とを固定した状態の概略断面図を示す。図７及び図８に示すような取付器具１にボルト１１を装着した状態において、ボルト１１の軸部１３を第２部材２２の取付孔２２ａに挿入する。そして、ナット１４やワッシャ１５等を用いて、第２部材２２を固定する。このとき、取付器具１のラック部４ａとボルト１１のラック部１２ａとが係合することにより、パッキン等の部品を用いなくても取付部材１と第２部材２２とを強固に固定することができる。
【００３０】
次に、本発明の取付器具セットについて説明する。取付器具セットは、図１〜図９において示すように、プレート（上述の取付器具）１、ボルト１１、ボルト１１と螺合するナット１４、及びワッシャ１５を備える。
【００３１】
ここで、ボルト１１の一例について説明する。ボルト１１の頭部１２は、軸部１３に対して垂直方向に延在するような平板形状であると好ましい。平板形状にすることにより、プレート１と第１部材２１との間の空隙５の厚みを薄くすることができる。また、プレート１の凹部ないし凸部（上述の形態においてはラック部４ａ）と係合する頭部１２の凸部ないし凹部（上述の形態においてはラック部１２ａ）を形成しやすくなる。
【００３２】
頭部１２の凸部ないし凹部１２ａは、頭部１２の軸部１３側の面に形成する。頭部１２の凸部ないし凹部１２ａがラック部である場合、ラック部１２ａは、軸部１３から外周にむけて少なくとも１つの溝が少なくとも１方向に延在すると好ましい。プレート１において、ラック部４ａが第２貫通孔３の両側に形成されている場合には、頭部１２のラック部１２ａは、両側のラック部４ａと係合できるように、少なくとも１つの溝が軸部１３から反対方向に２方向延在するように形成すると好ましい。より好ましくは、頭部１２のラック部１２ａは、少なくとも１つの溝が軸部１３から四方に延在させるようにする。これにより、頭部のラック部１２ａは、第２貫通孔３両側のラック部４ａと係合できると共に、ボルト１１をプレート１に嵌め込む際に係合可能となるボルト１１の向きの数を増やすことができ、嵌め込み操作が簡便になる。
【００３３】
頭部１２の平面形状は、矩形が好ましく、より好ましくは正方形である。図１０及び図１１に、本発明のプレート（取付器具）に装着するボルトの一形態を示す。図１０は、軸部側から見たボルトの概略斜視図であり、図１１は、ボルトの概略正面図及び概略下面図である。なお、軸部１３のネジ山の図示は省略してある。頭部１２の平面形状が矩形、特に正方形、である場合、ラック部１２ａの少なくとも１つの溝は、軸部１３から矩形の各辺に向けて垂直に延在するように形成すると好ましい。これにより、プレート１にボルト１１の頭部１２を嵌め込む際に、作業者がラック部１２ａの向きを容易に把握することができ、作業が簡便になる。
【００３４】
次に、本発明の局部洗浄装置について説明する。図１２に、裏側から見た局部洗浄装置の概略斜視図を示す。局部洗浄装置３１は、便器との接合部分に、上述した本発明の取付器具（プレート）１を備えるもの、又は取付器具（プレート）１に相当するものが一体的に形成されているものである。
【００３５】
局部洗浄装置３１は、図４に示すような、便器に固定するためのボルトの頭部を配設するための空隙を有する。局部洗浄装置３１は、ボルトの頭部を支持する支持部３４を備え、空隙は支持部３４によって形成されている。空隙は、ボルトの頭部が第２開口に沿って移動できるような大きさとなっている。また、局部洗浄装置３１は、空隙にボルトの頭部を導入するための少なくとも１つの第１開口３２と、第１開口３２と連通し、支持部３４がボルトの頭部を支持する際にボルトの軸部が通る少なくとも１つの第２開口３３と、を備える。ここで、第１開口３２は、取付器具（プレート）１の第１貫通孔に相当する部分であり、第２開口３３は、取付器具（プレート）１の第２貫通孔に相当する部分である。
【００３６】
第１開口３２及び第２開口３３は、局部洗浄装置３１を固定する便器と対向する面に形成されている。第１開口３２は、第２開口３３の端部で第２開口３３と連通すると好ましい。また、第２開口３３は直線状に延在すると好ましい。なお、第１開口３２は、第２開口３３の途中に形成されてもよい（すなわち、第１開口３２の両側に第２開口３３が形成されてもよい）。
【００３７】
支持部３４は、空隙に面する部分に、ボルトの頭部に形成された少なくとも１つの凸部ないし凹部と係合する少なくとも１つの凹部ないし凸部３４ａを有する。好ましくは上述のようなラック部を有する。少なくとも１つの凹部ないし凸部３４ａがラック部である場合、ラック部３４ａは、第２開口３３の両側に、第２開口３３に沿って形成されていると好ましい。
【００３８】
局部洗浄装置３１において、ボルトを装着する方法や局部洗浄装置３１を便器に固定する方法は、本発明の取付器具及び取付器具セットについての説明と同様であるので、上記説明を援用し、ここでの説明は省略する。
【００３９】
本発明の取付器具、取付器具セット及び局部洗浄装置は、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。
【００４０】
本発明のさらなる課題、目的及び展開形態は、請求の範囲を含む本発明の全開示事項からも明らかにされる。
【産業上の利用可能性】
【００４１】
本発明の取付器具及び取付器具セットの適用例について、上記実施形態においては、局部洗浄装置と便器の固定を例に説明したが、本発明の取付器具及び取付器具セットの適用形態はこれに限定することなく、種々の部材の固定に適用することができる。
【図面の簡単な説明】
【００４２】
【図１】本発明の取付器具の概略斜視図。
【図２】本発明の取付器具の概略平面図。
【図３】第１部材が局部洗浄装置である場合の本発明の取付器具の使用例を示す概略斜視図。
【図４】取付器具を第１部材に取り付け、取付器具にボルトセットした際の取付器具の概略部分断面図。
【図５】取付器具に装着するボルトの概略部分平面図。
【図６】取付器具にボルトを装着する際の取付器具の概略斜視図。
【図７】取付器具にボルトを装着した後の取付器具の概略斜視図。
【図８】取付器具にボルトを装着した後の第１部材の概略斜視図。
【図９】取付器具を用いて第１部材と第２部材とを固定した状態の概略断面図。
【図１０】本発明のプレート（取付器具）に装着するボルトの軸部側から見た概略斜視図。
【図１１】本発明のプレート（取付器具）に装着するボルトの概略正面図及び概略下面図。
【図１２】裏側から見た局部洗浄装置の概略斜視図。
【符号の説明】
【００４３】
１        取付器具（プレート）
２        第１貫通孔
３        第２貫通孔
４        支持部
４ａ      凹部ないし凸部（ラック部）
５        空隙
１１      ボルト
１２      頭部
１２ａ    凸部ないし凹部（ラック部）
１３      軸部
１４      ナット
２１      第１部材
２２      第２部材
３１      局部洗浄装置
３２      第１開口
３３      第２開口
３４      支持部
３４ａ    凹部ないし凸部（ラック部）
【図１】
2010031470.tif 000003
【図２】
2010031470.tif 000004
【図３】
2010031470.tif 000005
【図４】
2010031470.tif 000006
【図５】
2010031470.tif 000007
【図６】
2010031470.tif 000008
【図７】
2010031470.tif 000009
【図８】
2010031470.tif 000010
【図９】
2010031470.tif 000011
【図１０】
2010031470.tif 000012
【図１１】
2010031470.tif 000013
【図１２】
2010031470.tif 000014